(57)【要約】【課題】低コストな直管形ランプ及び照明器具を提供する。【解決手段】直管形ランプ１は、少なくとも一部に透光部２Aを有し、両端部が開口した直管カバー２と、直管カバー２内に挿通され、発光部が搭載される発光部搭載面２ａ１を有する基板２１ａと、直管カバー２内に挿通され、直管カバー２の長手軸に直交する方向からみたときに、基板２１ａに対して発光部搭載面２１ａ１側に配置され、両端の口金３ａと３ｂが取り付けられた棒部材２２と、を有する。【選択図】図３
2015185366.tif 000002
【特許請求の範囲】
【請求項１】
少なくとも一部に透光部を有し、両端部が開口した直管カバーと、
前記直管カバー内に挿通され、発光部が搭載される発光部搭載面を有する基板と、
前記直管カバー内に挿通され、前記直管カバーの長手軸に直交する方向からみたときに、前記基板に対して前記発光部搭載面側に配置され、両端の口金が取り付けられた第１の棒部材と、
を有する直管形ランプ。
【請求項２】
前記直管カバー内に挿通され、前記直管カバーの長手軸に直交する方向からみたときに、前記基板に対して前記発光部搭載面側に配置され、両端において前記口金が取り付けられた第２の棒部材を有し、
前記直管カバーの長手軸に直交する方向から前記基板を正対視したときに、前記第１及び第２の棒部材は、前記基板の両側に配置されている請求項１に記載の直管形ランプ。
【請求項３】
前記直管カバーの内周面上に設けられ、前記第１の棒部材を固定するため第１の固定部を有する請求項１又は２に記載の直管形ランプ。
【請求項４】
前記直管カバーの内周面上に設けられ、前記第２の棒部材を固定するため第２の固定部を有する請求項３に記載の直管形ランプ。
【請求項５】
前記基板は、前記第１の固定部と前記第２の固定部により支持されている請求項４に記載の直管形ランプ。
【請求項６】
前記基板の前記発光部搭載面とは反対側の面に設けられた放熱部材を有する請求項１から５のいずれか１つに記載の直管形ランプ。
【請求項７】
前記基板は、透光性を有する請求項１から６のいずれか１つに記載の直管形ランプ。
【請求項８】
前記基板の前記発光部搭載面とは反対側の面に設けられた光反射部材を有し、
前記基板は透光性を有する請求項１から５のいずれか１つに記載の直管形ランプ。
【請求項９】
前記発光部から前記第１の棒部材へ向かう光を、前記透光部へ向けて反射させる第１の反射部を有する請求項１に記載の直管形ランプ。
【請求項１０】
前記発光部から前記第２の棒部材へ向かう光を、前記透光部へ向けて反射させる第２の反射部を有する請求項２に記載の直管形ランプ。
【請求項１１】
前記第１の棒部材の熱膨張係数は、前記直管カバーの熱膨張係数よりも小さい請求項１から１０に記載の直管形ランプ。
【請求項１２】
請求項１から１１のいずれか１つに記載の直管形ランプを有する照明器具。
【発明の詳細な説明】
【技術分野】
【０００１】
本発明の実施形態は、直管形ランプ及び照明器具に関する。
【背景技術】
【０００２】
従来より、直管形ランプが広く利用されている。直管形ランプには、従来の蛍光ランプに加え、近年は、発光素子、例えば発光ダイオード素子（以下、LEDという）、を利用した直管形ランプも広く普及してきている。
【０００３】
LEDを用いた直管形ランプ（以下、LEDランプという）では、通常、発光部としての複数のLEDが実装されたモジュール基板がアルミプレート上に固着され、直管カバー内に設けられる。
【０００４】
アルミプレートが直管形ランプ自体の機械的強度の保持と、長手軸方向の長さの維持を図り、給電は、アルミプレートの両端に固定された例えばG13形口金のランプピン又はL形に形成したランプピンにより行われる。２つの口金は、アルミプレートの両端に設けられた孔に螺子止めされる。すなわち、モジュール基板が固着されたアルミプレートは、２つの口金により保持された被保持部材であり、直管形ランプの機械的強度と長手軸方向の長さは、このアルミプレートにより保たれている。
【０００５】
しかし、熱伝導率が高いアルミニウム等の部材は、その体積が大きくなると、部材自体のコストが高くなるという問題がある。  
被保持部材を全く用いないで、直管カバーの両端に２つの口金を設けることも考えられるが、直管カバーが樹脂製の場合、使用時の温度と不使用時の環境温度の差による熱変化により直管カバーの長手方向の長さが伸び縮みして、直管カバーは規格上の長手軸方向の長さが維持できなくなってしまう。
【０００６】
そこで、円管カバーを硬質なガラス製にして、直管カバーの両端に口金を設けることも考えられるが、ガラス割れに対する安全性の担保として熱収縮性の防飛膜で覆う必要があり、部品点数も増え、コスト上昇になってしまう。
【先行技術文献】
【特許文献】
【０００７】
【特許文献１】特開２０１２−２０４１８６号公報
【特許文献２】特開２０１２−２１６３０３号公報
【発明の概要】
【発明が解決しようとする課題】
【０００８】
そこで、実施形態は、低コストな直管形ランプ及び照明器具を提供することを目的とする。
【課題を解決するための手段】
【０００９】
実施形態の直管形ランプは、少なくとも一部に透光部を有し、両端部が開口した直管カバーと、前記直管カバー内に挿通され、発光部が搭載される発光部搭載面を有する基板と、前記直管カバー内に挿通され、前記直管カバーの長手軸に直交する方向からみたときに、前記基板に対して前記発光部搭載面側に配置され、両端の口金が取り付けられた第１の棒部材と、を有する。
【発明の効果】
【００１０】
実施形態によれば、低コストな直管形ランプ及び照明器具を提供することができる。
【図面の簡単な説明】
【００１１】
【図１】第１の実施形態に関わる直管形ランプ１の一部切欠外観斜視図である。
【図２】第１の実施形態に関わる照明器具の正面図である。
【図３】第１の実施形態に関わる直管形ランプ１の長手軸に直交する断面図である。
【図４】第２の実施形態の直管形ランプ１Aの長手軸に直交する断面図である。
【図５】第３の実施形態の直管形ランプ１Bの長手軸に直交する断面図である。
【図６】第４の実施形態の直管形ランプ１Cの長手軸に直交する断面図である。
【発明を実施するための形態】
【００１２】
以下、図面を参照して実施形態を説明する。
（第１の実施形態）
（構成）
図１は、本実施形態に関わる直管形ランプ１の一部切欠外観斜視図である。図２は、本実施形態に関わる照明器具の正面図である。
【００１３】
直管形ランプ１は、直管カバー２を有し、口金３ａと３ｂが直管カバー２の両端に設けられている。口金３ａは、給電用口金であり、一対のＬ字形ピン４が口金３ａから延出している。口金３ｂは、非給電口金であり、１本のピン５が口金３ｂから延出している。
【００１４】
図２に示すように、照明器具１１は、直管形ランプ１と、器具本体１２とから構成されている。器具本体１２は、例えば、天井等に直付け、吊設等により配設される板金製等のシャーシ１３と、給電用ソケット１４ａと、非給電側ソケット１４ｂとを有している。給電用ソケット１４ａは、口金３ａに適合するソケットであり、非給電側ソケット１４ｂは、口金３ｂに適合するソケットである。  
口金３ａと３ｂをそれぞれ給電用ソケット１４ａと非給電側ソケット１４ｂに嵌め込むことにより、直管形ランプ１は、給電を受けて発光する。
【００１５】
図３は、直管形ランプ１の長手軸に直交する断面図である。直管カバー２は、ポリカーボネート等の樹脂製であり、断面の外形形状は、円形である。直管カバー２は、少なくとも一部に透光部を有し、両端部が開口している。
【００１６】
細長の光源ユニット２１が、直管カバー２の内周面に、直管形ランプ１の長手軸方向に沿って配置されている。光源ユニット２１は、細長の基板２１ａと、基板２１ａの片面に配置された、発光部としての複数の半導体発光素子２１ｂとを有して構成される。ここでは、基板２１ａは、フレキシブル基板である。半導体発光素子２１ｂは、LEDである。よって、直管形ランプ１は、LEDランプである。すなわち、基板２１ａは、直管カバー２内に挿通され、発光部が搭載される発光部搭載面２１ａ１を有している。  
なお、基板２１ａは、リジッド基板でもよく、半導体発光素子２１ｂも、LED以外の発光素子でもよい。
【００１７】
直管カバー２内には、金属製の２つの棒部材２２が配設されている。２つの棒部材２２の両端には、口金３ａと３ｂが螺子により固定されている。直管カバー２の長手軸に直交する方向（図３において矢印Ｖで示す）から基板２１ａを正対視したときに、２つの棒部材２２は、基板２１ａの両側に配設されている。言い換えると、基板２１ａは、２つの棒部材２２の間に配設されている。さらに、直管カバー２の中心軸Oと基板２１ａの中心軸とを含む平面に対して、２つの棒部材２２は、面対称の位置にある。
【００１８】
すなわち、各棒部材２２は、直管カバー２内に挿通され、直管カバー２の長手軸に直交する方向からみたときに、基板２１ａに対して発光部搭載面２１ａ１側に配置され、両端の口金３ａと３ｂが取り付けられている。  
なお、ここでは、直管カバー２内には、棒部材２２が２つ設けられているが、１つでもよい。
【００１９】
直管カバー２の内周面２ａ上には、突出部２ｂが直管形ランプ１の長手軸方向に沿って設けられている。各突出部２ｂ内には、直管形ランプ１の長手軸方向に沿って空洞部２ｃが形成されている。各棒部材２２は、空洞部２ｃ内に挿通されている。  
よって、各突出部２ｂは、直管カバー２の内周面上に設けられ、棒部材２２を固定するため固定部を構成する。
【００２０】
各棒部材２２は、スリットを有する円筒部材である。棒部材２２の材料は、アルミニウム、鉄、マグネシウム合金等である。なお、棒部材２２は、ガラス製でもよい。  
各棒部材２２は、図３に示すように、断面がＣ字形状を有する棒状部材である。なお、各棒部材２２は、断面が円形の棒状部材でもよい。
【００２１】
棒部材２２の熱膨張係数は、直管カバー２の熱膨脹係数よりも小さい。ここでは、棒部材２２の熱膨張係数は、３０ppｍ/℃以下である。棒部材２２は、使用時の熱と不使用時の環境温度の差による熱変化により直管カバー２の長手方向の長さが伸び縮みしても、棒部材２２は規格上の長手軸方向の長さが維持できるものであればよい。
【００２２】
細長の基板２１ａは、基板２１ａの長手軸方向に沿った２つの縁部が、２つの突出部２ｂと内周面２ａとの境界の溝部２ｄに入り込んで２つの溝部２ｄにより係止されることにより、直管カバー２に支持されている。すなわち、光源ユニット２１の基板２１ａは、直管カバー２内において、固定部としての突出部２ｂにより支持されている。
【００２３】
そして、図３に示すように、直管カバー２の長手軸方向からみたときに、２つの棒部材２２は、直管カバー２内において、発光部としての複数の半導体発光素子２１ｂが搭載された基板２１ａの表面２１ａ１側（すなわち発光部搭載面２１ａ１側）に、配置されている。
【００２４】
すなわち、２つの棒部材２２は、直管カバー２内に挿通され、直管カバー２の長手軸方向からみたときに、基板２１ａに対して発光部搭載面２１ａ１側に配置され、両端において口金３ａと３ｂにより保持されている。
【００２５】
なお、基板２１ａは、光を透過する部材でもよい。その場合、直線透光率が６０％以上の基板２１ａであることが望ましい。このような透光性を有する基板２１ａを用いると、基板２１ａの裏面側も発光するので発光面が増え、直管形ランプ１の光り方は、従来の蛍光灯の光り方に近くなる。
【００２６】
直管カバー２は、少なくとも一部に、透光部２Aを有している。ここでは、図３において範囲Wで示す直管カバー２に２つの突出部２ｂ設けられた２本の棒部材２２の間の領域が、透光部２Ａであり、発光部である複数のLEDからの光は、透光部２Aから出射する。
（効果）
上述した直管形ランプ１では、棒部材２２により長手軸方向の長さが維持され、かつ棒部材２２は、光源ユニット２１を支えておらず、棒部材の体積は小さくて済むので、直管形ランプ１のコストの低減を図ることができる。
【００２７】
また、従来のLEDランプでは、発光部が搭載された基板がアルミプレート上に固着されているため、複数のLEDが直管カバーの透光部に近く、LEDランプの透光部に輝度ムラが発生し易いという問題もあった。これに対して、上述した実施形態の直管形ランプ１では、複数のLEDが搭載された基板２１ａが、棒部材２２上に固着されていないので、直管カバー２の透光部から比較的離れているので、透光部２Aに輝度ムラが発生し難い。  
さらに、２本の棒部材２２の熱膨張係数は、直管カバー２の熱膨張係数よりも低く、かつ熱の影響を受けても、棒部材２２は規格上の長手軸方向の長さが維持できる。
【００２８】
よって、上述した実施形態によれば、棒部材に対して２つの口金が固定されるため、直管形ランプの機械的強度を保ちつつ、低コストな直管形ランプ及び照明器具を提供することができる。
【００２９】
また、従来のLEDランプのように、複数の発光素子が直管カバーの透光部から離れて配置可能となるので、透光部に輝度ムラが発生し難い。
（第２の実施形態）
第２の実施形態は、基板に放熱部材を設けた直管形ランプに関する。本実施形態は、第１の実施形態と略同じ構成であるので、同じ構成については、同じ符号を付して説明を省略し、異なる構成について説明する。
【００３０】
図４は、第２の実施形態の直管形ランプ１Aの長手軸に直交する断面図である。図４の場合、直管カバー２の内周面には、２つの溝状の突出部２ｂ１が、棒部材２２Aが嵌合可能に形成されている。２本の棒部材２２Aは、２つの溝状の突出部２ｂ１に嵌合して固定される。各棒部材２２Aは、中空状の棒部材、すなわちパイプ部材である。棒部材２２Aの熱膨張係数は、直管カバー２の熱膨脹係数よりも小さい。
【００３１】
第２の実施形態の直管形ランプ１Ａには、直管カバー２からの放熱を高めるために、直管カバー２の一部に高熱伝導性の部分が設けられている。  
具体的には、ポリカーボネート等の樹脂製の直管カバー２の一部が、例えば２色成形により、高熱伝導性樹脂の放熱部材３１により構成されている。高熱伝導性樹脂は、例えばタルク等の熱伝導性フィラーを有する樹脂などである。直管カバー２において放熱部材３１が設けられた部分２ｘ薄肉部の厚さは、他の部分よりも厚くなっている。すなわち、放熱部材３１は、基板２１ａの発光部搭載面２１ａ１とは反対側の面に設けられている。
【００３２】
図４に示すように、基板２１ａの発光部搭載面の裏側が、放熱部材３１に密着し、直管形ランプ１Ａは、基板２１ａの熱を放熱部材３１を介して直管カバー２の外へ逃がすように構成されている。
【００３３】
よって、本実施形態の直管形ランプは、第１の実施形態の効果に加えて、効率的に放熱することができるという効果を有する。
（第３の実施形態）
第３の実施形態の直管形ランプは、基板として、透光性を有するフレキシブル基板を用い、基板の下面側に、すなわち発光部搭載面とは反対側の面側に、反射部が設けられている。本実施形態は、第２の実施形態と略同じ構成であるので、同じ構成については、同じ符号を付して説明を省略し、異なる構成について説明する。
【００３４】
図５は、第３の実施形態の直管形ランプ１Bの長手軸に直交する断面図である。各棒部材２２Bは、スリットを有する円筒部材である。棒部材２２Bの熱膨張係数は、直管カバー２の熱膨脹係数よりも小さい。
【００３５】
第３の実施形態の直管形ランプ１Ｂは、発光部であるLEDの光のうち、基板２１ａ側に向かった光を、透光部２A側へ反射させる反射部材３２が、直管カバー２の一部に設けられている。反射部材３２は、例えば、ポリカーボネート樹脂に再結晶化された無水イサト酸を原料として製造された環状イミノエステル系紫外線吸収剤を配合した樹脂組成物で構成してもよいし、さらに、ポリカーボネートに熱安定剤を配合してもよい。また、不飽和ポリエステル樹脂またはエポキシ樹脂等の耐熱性および光反射性を有する白色の樹脂材料を使用することができる。
【００３６】
ポリカーボネート等の樹脂製の直管カバー２の一部が、例えば２色成形により、反射部材３２により構成されている。反射部材３２は、基板２１ａと密着している。反射部材３２の基板２１ａ側の表面は、光を反射する反射面となっている。発光部からの光は、図５において点線で示すように、基板２１ａを透過して、反射部材３２の表面で反射し、直管カバー２の透光部２Aから出射する。  
すなわち、基板２１ａは透光性を有し、光反射部材である反射部材３２は、基板２１ａの発光部搭載面２１ａ１とは反対側の面に設けられている。
【００３７】
よって、本実施形態の直管形ランプは、第１の実施形態の効果に加えて、発光効率を高くすることができるという効果を有する。
（第４の実施形態）
第４の実施形態の直管形ランプは、発光部から棒部材２２へ向かう光を、直管カバー２の透光部２Ａへ向けて反射させる反射部を有する。本実施形態は、第１及び第３の実施形態と略同じ構成であるので、同じ構成については、同じ符号を付して説明を省略し、異なる構成について説明する。
【００３８】
図６は、第４の実施形態の直管形ランプ１Cの長手軸に直交する断面図である。反射部３３が、複数の半導体発光素子２１ｂと棒部材２２Bの間に設けられている。反射部３３は、例えば、反射部材３２と同様の材料で構成することができる。
【００３９】
具体的には、図６に示すように、反射部３３は、反射部材３２の一部から延出して形成されている。反射部３３は、直管カバー２の長手方向に沿って延出して形成されている。反射部３３の一部の表面３３ａが、複数の半導体発光素子２１ｂからの光を透光部２Ａへ反射させるように形成されている。発光部からの光は、点線で示すように、反射部３３の表面３３ａで反射し、直管カバー２の透光部２Aから出射する。すなわち、反射部３３は、発光部から各棒部材２２Bへ向かう光を、透光部２Aへ向けて反射させる。  
よって、本実施形態の直管形ランプ１Ｃは、第１及び第３の実施形態の効果に加えて、より発光効率を高くすることができるという効果を有する。
【００４０】
以上のように、上述した各実施形態の直管形ランプによれば、低コストな直管形ランプ及び照明器具を提供することができる。  
また、従来のLEDランプのように、複数の発光素子が直管カバーの透光部から離れて配置可能となるので、透光部に輝度ムラが発生し難い。
【００４１】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４２】
１  直管形ランプ、１A  直管形ランプ、１B  直管形ランプ、１C  直管形ランプ、１Ａ  直管形ランプ、１Ｂ  直管形ランプ、１Ｃ  直管形ランプ、２  直管カバー、２A  透光部、２ａ  内周面、２ｂ  突出部、２ｂ１  突出部、２ｃ  空洞部、２ｄ  溝部、３ａ、３ｂ  口金、４  Ｌ字形ピン、５  アースピン、１１  照明器具、１２  器具本体、１３  シャーシ、１４ａ  給電用ソケット、１４ｂ  非給電側ソケット、２１  光源ユニット、２１ａ  基板、２１ａ１  表面、２１ａ１  発光部搭載面、２１ｂ  半導体発光素子、２２  棒部材、２２A、２２B  棒部材、３１  放熱部材、３２  反射部材、３３  反射部、３３ａ  表面。
【図１】
2015185366.tif 000003
【図２】
2015185366.tif 000004
【図３】
2015185366.tif 000005
【図４】
2015185366.tif 000006
【図５】
2015185366.tif 000007
【図６】
2015185366.tif 000008